(57)【要約】【課題】速やかにプレビュー画像を表示させ、プレビュー画像上に信号線方向に延びる縞状の模様が現れることを的確に防止することが可能な放射線画像撮影装置を提供する。【解決手段】放射線画像撮影装置１は、二次元状に配列された放射線検出素子７を備える検出部Ｐと、放射線検出素子７から信号線６を通じて画像データｄを読み出す複数の読み出し回路１７と、各走査線５にオン電圧とオフ電圧を印加する走査駆動回路１５と、画像データｄの読み出し処理において走査駆動回路１５と読み出し回路１７の各動作を制御する制御手段２２と、通信手段３９とを備え、制御手段２２は、放射線画像撮影の前後或いは画像データｄの読み出し処理時に、全走査線５にオフ電圧を印加させた状態で読み出し回路１７に読み出し動作を行わせて読み出し回路１７ごとのオフセット値Ｏlineを取得し、画像データｄを送信する際に読み出し回路１７ごとのオフセット値Ｏlineも送信する。【選択図】図７
2011133302.tif 000002
【特許請求の範囲】
【請求項１】
互いに交差するように配設された複数の走査線および複数の信号線と、前記複数の走査線および複数の信号線により区画された各領域に二次元状に配列された複数の放射線検出素子とを備える検出部と、
前記各放射線検出素子から前記各信号線を通じて電荷を読み出し、前記放射線検出素子ごとに前記電荷を画像データとして出力する複数の読み出し回路と、
前記各走査線に対して印加する電圧をオン電圧とオフ電圧との間で切り替える走査駆動回路と、
前記各放射線検出素子からの前記画像データの読み出し処理において、少なくとも前記走査駆動回路と前記読み出し回路の各動作を制御する制御手段と、
外部装置との間でデータを送受信する通信手段と、
を備え、
前記制御手段は、放射線画像撮影の前または後、或いは前記各放射線検出素子からの前記画像データの読み出し処理時に、前記走査駆動回路から全ての前記走査線に前記オフ電圧を印加させた状態で前記各読み出し回路に読み出し動作を行わせて前記読み出し回路ごとのオフセット値を取得し、前記通信手段を介して外部装置に前記画像データを送信する際に、前記読み出し回路ごとのオフセット値も送信することを特徴とする放射線画像撮影装置。
【請求項２】
前記走査駆動回路は、前記走査線に接続されていない端子を備え、
前記制御手段は、前記各放射線検出素子からの前記画像データの読み出し処理時に前記読み出し回路ごとのオフセット値を取得する場合には、前記走査駆動回路の前記走査線に接続されていない端子にオン電圧が印加され、全ての前記走査線には前記走査駆動回路から前記オフ電圧を印加された状態で、前記各読み出し回路に前記画像データの読み出し処理と同様の読み出し動作を行わせて前記読み出し回路ごとのオフセット値を取得することを特徴とする請求項１に記載の放射線画像撮影装置。
【請求項３】
前記制御手段は、前記各放射線検出素子からの前記画像データの読み出し処理時に前記読み出し回路ごとのオフセット値を取得する場合には、前記走査駆動回路の各端子に、前記走査線が接続された側から順にオン電圧を順次印加させることを特徴とする請求項２に記載の放射線画像撮影装置。
【請求項４】
前記制御手段は、前記各放射線検出素子からの前記画像データの読み出し処理時に前記読み出し回路ごとのオフセット値を取得する場合には、前記走査駆動回路の各端子に、前記走査駆動回路の前記走査線に接続されていない端子の側から順にオン電圧を印加させることを特徴とする請求項２に記載の放射線画像撮影装置。
【請求項５】
前記制御手段は、放射線を照射しない状態で装置を所定時間放置し、前記放射線検出素子に蓄積された電荷をダーク読取値として取得し、前記通信手段を介して前記ダーク読取値または前記ダーク読取値から算出したオフセット補正値を外部装置に送信することを特徴とする請求項１から請求項４のいずれか一項に記載の放射線画像撮影装置。
【請求項６】
前記制御手段は、前記画像データに基づいて前記画像データが所定の割合で間引かれた間引きデータを作成し、前記画像データの送信の前に前記間引きデータを送信するとともに、前記間引きデータを送信する際に、前記読み出し回路ごとのオフセット値も送信することを特徴とする請求項１から請求項４のいずれか一項に記載の放射線画像撮影装置。
【請求項７】
前記制御手段は、前記間引きデータおよび前記読み出し回路ごとのオフセット値の送信後、放射線を照射しない状態で装置を所定時間放置し、前記放射線検出素子に蓄積された電荷をダーク読取値として取得し、前記通信手段を介して前記画像データと、前記ダーク読取値または前記ダーク読取値から算出したオフセット補正値とを外部装置に送信することを特徴とする請求項６に記載の放射線画像撮影装置。
【請求項８】
請求項１から請求項５のいずれか一項に記載の放射線画像撮影装置と、
前記放射線画像撮影装置との間でデータを送受信する通信手段と、データに基づいて画像を表示する表示部とを備えるコンソールと、
を備え、
前記コンソールは、前記放射線画像撮影装置から前記通信手段を介して送信されてきた前記画像データおよび前記読み出し回路ごとのオフセット値に基づいて、前記画像データを前記読み出し回路ごとのオフセット値で補正して生成したプレビュー画像を前記表示部に表示することを特徴とする放射線画像撮影システム。
【請求項９】
請求項６または請求項７に記載の放射線画像撮影装置と、
前記放射線画像撮影装置との間でデータを送受信する通信手段と、データに基づいて画像を表示する表示部とを備えるコンソールと、
を備え、
前記コンソールは、前記放射線画像撮影装置から前記通信手段を介して送信されてきた前記間引きデータおよび前記読み出し回路ごとのオフセット値に基づいて、前記間引きデータを前記読み出し回路ごとのオフセット値で補正して生成したプレビュー画像を前記表示部に表示することを特徴とする放射線画像撮影システム。
【発明の詳細な説明】
【技術分野】
【０００１】
本発明は、放射線画像撮影装置およびそれを用いた放射線画像撮影システムに関する。
【背景技術】
【０００２】
照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台（或いはブッキー装置）と一体的に形成されていたが（例えば特許文献１参照）、近年、放射線検出素子等をハウジングに収納した可搬型の放射線画像撮影装置が開発され、実用化されている（例えば特許文献２、３参照）。
【０００４】
このような放射線画像撮影装置では、例えば後述する図７に示すように、通常、ガラス基板の検出部Ｐ上に複数の走査線５と複数の信号線６とが互いに交差するように配設されており、また、走査線５と信号線６とで区画された各領域にそれぞれ放射線検出素子７が二次元状（マトリクス状）に配列されている。そして、各放射線検出素子７には、スイッチ手段として薄膜トランジスタ（Thin Film Transistor。以下、ＴＦＴという。）８が接続されており、各ＴＦＴ８のドレイン電極８ｄ（図７ではＤと表現されている。）がそれぞれ信号線６に接続されている。
【０００５】
また、各信号線６には、読み出しＩＣ１６内に形成された増幅回路１８や相関二重サンプリング（Correlated Double Sampling）回路１９等からなる各読み出し回路１７が接続されており、各読み出し回路１７の出力側は、マルチプレクサ２１等を介してＡ／Ｄ変換回路２０に接続されている。そして、放射線画像撮影が行われると、各放射線検出素子７内に蓄積された電荷が、読み出し処理の際に、各放射線検出素子７から信号線６を介して各読み出し回路１７に読み出され、増幅回路１８で電荷電圧変換される等してアナログ値の画像データｄに変換された後、Ａ／Ｄ変換回路２０でデジタル値の画像データ（すなわちいわゆるrawデータ）ｄに変換されて出力される。
【０００６】
ところで、上記のように、増幅回路１８や相関二重サンプリング回路１９等で構成される読み出し回路１７は、読み出しＩＣの製造上の過程で、増幅回路１８等に製造ばらつきが生じる。そのため、各放射線検出素子７からの画像データｄの読み出し特性が各読み出し回路１７ごとに異なる場合がある。
【０００７】
このように画像データｄの読み出し特性が各読み出し回路１７ごとに異なると、例えば、放射線画像撮影装置に低線量の放射線が照射され、各読み出し回路１７から比較的低い信号値の画像データｄが出力される状況では、出力された画像データｄ等に基づいて放射線画像を生成すると、生成された放射線画像上に、信号線６方向に延びる縞状の模様が現れるという現象が生じる。
【０００８】
一方、画像データｄ（rawデータ）に本格的な画像処理を行う診断用放射線画像を生成する際には、図１６に示すように、放射線画像撮影で放射線画像撮影装置に対する放射線の照射と各放射線検出素子７からの画像データｄの読み出し処理の後、通常、放射線画像撮影装置に対して放射線を照射しない状態で放射線画像撮影装置を所定時間放置した後、上記の画像データｄの読み出し処理と同様にして各放射線検出素子７に蓄積された暗電荷をダーク読取値ｄａとして読み出すダーク読取処理を１回または複数回行う。
【０００９】
そして、ダーク読取処理により取得されたダーク読取値ｄａ或いはそれに基づいて算出されたオフセット補正値Ｏを、画像データｄの送信とともに例えばコンソール５８（図１５参照）に送信する。そして、コンソール５８でオフセット補正値Ｏ等に基づいて画像データｄを補正する画像処理等を行って診断用放射線画像を生成する。
【００１０】
また、放射線画像撮影装置を用いた放射線画像撮影では、画像データｄに対して本格的な画像処理を行って診断用放射線画像を生成する前に、プレビュー画像を作成し、放射線技師等がそのプレビュー画像を見て、被写体が放射線画像上に撮影されているか否かや被写体が放射線画像上の適切な位置に撮影されているか否か等を確認して、再撮影の要否を判定するように構成される場合も多い。その際、プレビュー画像は、放射線技師等がそれを見て上記の確認や判定を行うことができるものであればよく、撮影後、できるだけ速やかに画面上に表示されることが求められる。
【００１１】
しかし、プレビュー画像の作成において、放射線画像撮影を行い、上記のようにダーク読取値ｄａを取得した後、画像データｄとダーク読取値ｄａ（或いはオフセット補正値Ｏ）とを送信して、画像データｄに対する本格的な画像処理を行うのでは、撮影が終了した後、プレビュー画像が画面上に表示されるまでに時間を要してしまう。
【００１２】
そこで、特許文献４では、撮影からプレビュー画像の表示までの時間を短縮するために、放射線画像撮影後、すぐに画像データｄを送信し、画像データｄに画像処理を施さずにそのままプレビュー画像として表示する技術や、送信された画像データｄに対して前回撮影時のオフセット補正値や放射線画像撮影装置の製造時に予め取得しておいた仮のオフセット補正値Ｏ等を用いて仮の画像処理を行った画像データｄをプレビュー画像として表示する技術が開示されている。
【先行技術文献】
【特許文献】
【００１３】
【特許文献１】特開平９−７３１４４号公報
【特許文献２】特開２００６−０５８１２４号公報
【特許文献３】特開平６−３４２０９９号公報
【特許文献４】特開２００３−３２５４９４号公報
【発明の概要】
【発明が解決しようとする課題】
【００１４】
しかしながら、画像データｄを画像処理せずにそのままプレビュー画像として表示すると、上記のように、各読み出し回路１７ごとに異なる読み出し特性に由来する信号線６方向に延びる縞状の模様がプレビュー画像上に現れてしまう。
【００１５】
放射線技師等がプレビュー画像を見て確認するポイントとしては、上記のように被写体の放射線画像上でのポジショニング等のほかに、患者の病変部がその周囲の組織に対してコントラストが良好の状態で撮影されているか否か、或いは、少なくとも本格的な画像処理を行えばコントラストが良好な状態に補正できるか否かという点もある。
【００１６】
しかし、患者の病変部は、照射された放射線が患者の身体で吸収、散乱された後の低線量となった画像領域に撮影される。そして、上記の各読み出し回路１７ごとに異なる読み出し特性に由来する信号線６方向に延びる縞状の模様は、低線量の画像領域、すなわち上記のように低線量の放射線が照射され各読み出し回路１７から比較的低い信号値の画像データｄが出力される画像領域に現れ易い。
【００１７】
そのため、画像データｄを画像処理せずにそのままプレビュー画像として表示するように構成すると、放射線技師等がプレビュー画像を見ても、患者の病変部がその周囲の組織に対してコントラストが良好の状態で撮影されているか否か等を的確に判定することができなくなる。従って、このようなプレビュー画像の作成手法は採用し難い。
【００１８】
また、各読み出し回路１７ごとに異なる読み出し特性は、読み出しＩＣ１６の温度やその周囲の温度等の各読み出し回路１７を取り巻く環境によっても変動し得る。そのため、特許文献４に開示されているように、画像データｄに対して前回撮影時のオフセット補正値Ｏや放射線画像撮影装置の製造時に予め取得しておいた仮のオフセット補正値Ｏ等を用いて仮の画像処理を行ってプレビュー画像として表示するように構成すると、前回撮影時や放射線画像撮影装置の製造時と、今回の撮影時とで、各読み出し回路１７を取り巻く環境が異なる場合がある。
【００１９】
そのような場合に、前回撮影時のオフセット補正値Ｏや放射線画像撮影装置の製造時に予め取得しておいた仮のオフセット補正値Ｏ等を用いて画像データｄに対して仮の画像処理を行うと、やはり患者の病変部が撮影された低線量の画像領域に各読み出し回路１７ごとに異なる読み出し特性に由来する信号線６方向に延びる縞状の模様が現れる虞れがある。
【００２０】
そのため、この場合も、放射線技師等がプレビュー画像を見て患者の病変部がその周囲の組織に対してコントラストが良好の状態で撮影されているか否か等を的確に判定することができなくなる虞れがあり、プレビュー画像の作成手法としては必ずしも十分とは言えない。
【００２１】
本発明は、上記の問題点を鑑みてなされたものであり、撮影後、速やかにプレビュー画像を表示させることが可能で、プレビュー画像上に信号線方向に延びる縞状の模様が現れることを的確に防止することが可能な放射線画像撮影装置およびそれを用いた放射線画像撮影システムを提供することを目的とする。
【課題を解決するための手段】
【００２２】
前記の問題を解決するために、本発明の放射線画像撮影装置は、
互いに交差するように配設された複数の走査線および複数の信号線と、前記複数の走査線および複数の信号線により区画された各領域に二次元状に配列された複数の放射線検出素子とを備える検出部と、
前記各放射線検出素子から前記各信号線を通じて電荷を読み出し、前記放射線検出素子ごとに前記電荷を画像データとして出力する複数の読み出し回路と、
前記各走査線に対して印加する電圧をオン電圧とオフ電圧との間で切り替える走査駆動回路と、
前記各放射線検出素子からの前記画像データの読み出し処理において、少なくとも前記走査駆動回路と前記読み出し回路の各動作を制御する制御手段と、
外部装置との間でデータを送受信する通信手段と、
を備え、
前記制御手段は、放射線画像撮影の前または後、或いは前記各放射線検出素子からの前記画像データの読み出し処理時に、前記走査駆動回路から全ての前記走査線に前記オフ電圧を印加させた状態で前記各読み出し回路に読み出し動作を行わせて前記読み出し回路ごとのオフセット値を取得し、前記通信手段を介して外部装置に前記画像データを送信する際に、前記読み出し回路ごとのオフセット値も送信することを特徴とする。
【００２３】
また、本発明の放射線画像撮影システムは、
本発明の放射線画像撮影装置と、
前記放射線画像撮影装置との間でデータを送受信する通信手段と、データに基づいて画像を表示する表示部とを備えるコンソールと、
を備え、
前記コンソールは、前記放射線画像撮影装置から前記通信手段を介して送信されてきた前記画像データおよび前記読み出し回路ごとのオフセット値に基づいて、前記画像データを前記読み出し回路ごとのオフセット値で補正して生成したプレビュー画像を前記表示部に表示することを特徴とする。
【００２４】
また、本発明の放射線画像撮影装置は、上記の放射線画像撮影装置において、前記制御手段は、前記画像データに基づいて前記画像データが所定の割合で間引かれた間引きデータを作成し、前記画像データの送信の前に前記間引きデータを送信するとともに、前記間引きデータを送信する際に、前記読み出し回路ごとのオフセット値も送信することを特徴とする。
【００２５】
また、本発明の放射線画像撮影システムは、
上記の本発明の放射線画像撮影装置と、
前記放射線画像撮影装置との間でデータを送受信する通信手段と、データに基づいて画像を表示する表示部とを備えるコンソールと、
を備え、
前記コンソールは、前記放射線画像撮影装置から前記通信手段を介して送信されてきた前記間引きデータおよび前記読み出し回路ごとのオフセット値に基づいて、前記間引きデータを前記読み出し回路ごとのオフセット値で補正して生成したプレビュー画像を前記表示部に表示することを特徴とする。
【発明の効果】
【００２６】
本発明のような方式の放射線画像撮影装置および放射線画像撮影システムによれば、放射線画像撮影装置から放射線画像撮影により取得された画像データやそれに基づいて作成した間引きデータを送信する際に、放射線画像撮影の前後や各放射線検出素子からの画像データの読み出し処理時に取得した読み出し回路ごとのオフセット値をあわせて送信する。また、コンソールは、放射線画像撮影装置から送信されてきた画像データや間引きデータを読み出し回路ごとのオフセット値で補正して生成したプレビュー画像を表示部に表示する。
【００２７】
そのため、放射線画像撮影後、プレビュー画像をコンソールの表示部上に速やかに表示することが可能となり、放射線技師等の操作者は、そのプレビュー画像を見て被写体が放射線画像上に的確に撮影されているか否か等を確認して、再撮影の要否を即座に判定することが可能となる。
【００２８】
また、放射線画像撮影の前後や各放射線検出素子からの画像データの読み出し処理時に読み出し回路ごとのオフセット値が取得されるため、各読み出し回路ごとの読み出し特性が温度等の環境によって変動し得るとしても、読み出し回路ごとのオフセット値を、画像データや間引きデータが取得された環境と同じ状態で取得することが可能となる。
【００２９】
そのため、そのようにして取得された読み出し回路ごとのオフセット値で画像データや間引きデータを補正することで、画像データや間引きデータから、各読み出し回路ごとに異なる読み出し特性に起因するオフセット分を的確に除去することが可能となり、プレビュー画像上に信号線方向に延びる縞状の模様が現れることを的確に防止することが可能となる。そして、プレビュー画像上から信号線方向に延びる縞状の模様が的確に除去されるため、放射線技師等がプレビュー画像を見て、患者の病変部がその周囲の組織に対してコントラストが良好の状態で撮影されているか否か等を的確に判定することが可能となり、誤って判定して再撮影等が必要となるような事態が発生することを的確に防止することが可能となる。
【図面の簡単な説明】
【００３０】
【図１】本実施形態に係る放射線画像撮影装置を示す斜視図である。
【図２】図１におけるＸ−Ｘ線に沿う断面図である。
【図３】放射線画像撮影装置の基板の構成を示す平面図である。
【図４】図３の基板上の小領域に形成された放射線検出素子とＴＦＴ等の構成を示す拡大図である。
【図５】図４におけるＹ−Ｙ線に沿う断面図である。
【図６】ＣＯＦやＰＣＢ基板等が取り付けられた基板を説明する側面図である。
【図７】放射線画像撮影装置の等価回路を表すブロック図である。
【図８】検出部を構成する１画素分についての等価回路を表すブロック図である。
【図９】走査駆動回路のゲートドライバの走査線が接続されない未接続の端子を説明する図である。
【図１０】相関二重サンプリング回路における電圧値の変化等を表すグラフである。
【図１１】放射線画像撮影後に画像データの送信等を行う場合の各処理の経過を示すグラフである。
【図１２】各走査線および未接続の端子にオン電圧を順次印加するタイミングの一例を表すタイミングチャートである。
【図１３】本実施形態における未接続の端子および各走査線にオン電圧を順次印加するタイミングを表すタイミングチャートである。
【図１４】放射線画像撮影後に間引きデータの送信等を行う場合の各処理の経過を示すグラフである。
【図１５】本実施形態に係る放射線画像撮影システムの全体構成を示す図である。
【図１６】従来の放射線画像撮影装置における放射線画像撮影以降の各処理の経過を示すグラフである。
【発明を実施するための形態】
【００３１】
以下、本発明に係る放射線画像撮影装置および放射線画像撮影システムの実施の形態について、図面を参照して説明する。
【００３２】
なお、以下では、放射線画像撮影装置が、シンチレータ等を備え、照射された放射線を可視光等の他の波長の電磁波に変換して電気信号を得るいわゆる間接型の放射線画像撮影装置である場合について説明するが、本発明は、直接型の放射線画像撮影装置に対しても適用することが可能である。また、放射線画像撮影装置が可搬型である場合について説明するが、支持台等と一体的に形成された放射線画像撮影装置に対しても適用される。
【００３３】
［放射線画像撮影装置］
図１は、本実施形態に係る放射線画像撮影装置の外観斜視図であり、図２は、図１のＸ−Ｘ線に沿う断面図である。本実施形態に係る放射線画像撮影装置１は、図１や図２に示すように、筐体２内にシンチレータ３や基板４等が収納されて構成されている。
【００３４】
筐体２は、少なくとも放射線入射面Ｒが放射線を透過するカーボン板やプラスチック等の材料で形成されている。なお、図１や図２では、筐体２がフレーム板２Ａとバック板２Ｂとで形成された、いわゆる弁当箱型である場合が示されているが、筐体２を一体的に角筒状に形成した、いわゆるモノコック型とすることも可能である。
【００３５】
また、図１に示すように、筐体２の側面部分には、電源スイッチ３６や、ＬＥＤ等で構成されたインジケータ３７、図示しないバッテリ４１（後述する図７参照）の交換等のために開閉可能とされた蓋部材３８等が配置されている。また、本実施形態では、蓋部材３８の側面部には、画像データｄ等を、後述するコンソール５８（図１５参照）等の外部装置に無線で送受信するための通信手段であるアンテナ装置３９が埋め込まれている。
【００３６】
なお、アンテナ装置３９の設置位置は蓋部材３８の側面部に限らず、放射線画像撮影装置１の任意の位置にアンテナ装置３９を設置することが可能である。また、設置するアンテナ装置３９は１個に限らず、複数設けることも可能である。さらに、画像データｄ等を外部装置に有線方式で送受信するように構成することも可能であり、その場合は、例えば、通信手段として、ケーブル等を差し込むなどして接続するための接続端子等が放射線画像撮影装置１の側面部等に設けられる。
【００３７】
図２に示すように、筐体２の内部には、基板４の下方側に図示しない鉛の薄板等を介して基台３１が配置され、基台３１には、電子部品３２等が配設されたＰＣＢ基板３３や緩衝部材３４等が取り付けられている。なお、本実施形態では、基板４やシンチレータ３の放射線入射面Ｒには、それらを保護するためのガラス基板３５が配設されている。
【００３８】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００３９】
基板４は、本実施形態では、ガラス基板で構成されており、図３に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００４０】
このように、走査線５と信号線６で区画された各小領域ｒに二次元状に配列された複数の放射線検出素子７が設けられた領域ｒ全体、すなわち図３に一点鎖線で示される領域が検出部Ｐとされている。
【００４１】
本実施形態では、放射線検出素子７としてフォトダイオードが用いられているが、この他にも例えばフォトトランジスタ等を用いることも可能である。各放射線検出素子７は、図３や図４の拡大図に示すように、スイッチ手段であるＴＦＴ８のソース電極８ｓに接続されている。また、ＴＦＴ８のドレイン電極８ｄは信号線６に接続されている。
【００４２】
そして、ＴＦＴ８は、後述する走査駆動手段１５により、接続された走査線５にオン電圧が印加され、ゲート電極８ｇにオン電圧が印加されるとオン状態となり、放射線検出素子７内で発生し蓄積されている電荷を信号線６に放出させるようになっている。また、ＴＦＴ８は、接続された走査線５にオフ電圧が印加され、ゲート電極８ｇにオフ電圧が印加されるとオフ状態となり、放射線検出素子７から信号線６への電荷の放出を停止して、放射線検出素子７内で発生した電荷を放射線検出素子７内に保持して蓄積させるようになっている。
【００４３】
ここで、本実施形態における放射線検出素子７やＴＦＴ８の構造について、図５に示す断面図を用いて簡単に説明する。図５は、図４におけるＹ−Ｙ線に沿う断面図である。
【００４４】
基板４の面４ａ上に、ＡｌやＣｒ等からなるＴＦＴ８のゲート電極８ｇが走査線５と一体的に積層されて形成されており、ゲート電極８ｇ上および面４ａ上に積層された窒化シリコン（ＳｉＮｘ）等からなるゲート絶縁層８１上のゲート電極８ｇの上方部分に、水素化アモルファスシリコン（ａ−Ｓｉ）等からなる半導体層８２を介して、放射線検出素子７の第１電極７４と接続されたソース電極８ｓと、信号線６と一体的に形成されるドレイン電極８ｄとが積層されて形成されている。
【００４５】
ソース電極８ｓとドレイン電極８ｄとは、窒化シリコン（ＳｉＮｘ）等からなる第１パッシベーション層８３によって分割されており、さらに第１パッシベーション層８３は両電極８ｓ、８ｄを上側から被覆している。また、半導体層８２とソース電極８ｓやドレイン電極８ｄとの間には、水素化アモルファスシリコンにVI族元素をドープしてｎ型に形成されたオーミックコンタクト層８４ａ、８４ｂがそれぞれ積層されている。以上のようにしてＴＦＴ８が形成されている。
【００４６】
また、放射線検出素子７の部分では、基板４の面４ａ上に前記ゲート絶縁層８１と一体的に形成される絶縁層７１の上にＡｌやＣｒ等が積層されて補助電極７２が形成されており、補助電極７２上に前記第１パッシベーション層８３と一体的に形成される絶縁層７３を挟んでＡｌやＣｒ、Ｍｏ等からなる第１電極７４が積層されている。第１電極７４は、第１パッシベーション層８３に形成されたホールＨを介してＴＦＴ８のソース電極８ｓに接続されている。
【００４７】
第１電極７４の上には、水素化アモルファスシリコンにVI族元素をドープしてｎ型に形成されたｎ層７５、水素化アモルファスシリコンで形成された変換層であるｉ層７６、水素化アモルファスシリコンにIII族元素をドープしてｐ型に形成されたｐ層７７が下方から順に積層されて形成されている。
【００４８】
放射線画像撮影装置１の筐体２の放射線入射面Ｒから放射線が入射し、シンチレータ３で可視光等の電磁波に変換され、変換された電磁波が図中上方から照射されると、電磁波は放射線検出素子７のｉ層７６に到達して、ｉ層７６内で電子正孔対が発生する。放射線検出素子７は、このようにして、シンチレータ３から照射された電磁波を電荷に変換するようになっている。
【００４９】
また、ｐ層７７の上には、ＩＴＯ等の透明電極とされた第２電極７８が積層されて形成されており、照射された電磁波がｉ層７６等に到達するように構成されている。本実施形態では、以上のようにして放射線検出素子７が形成されている。なお、ｐ層７７、ｉ層７６、ｎ層７５の積層の順番は上下逆であってもよい。また、本実施形態では、放射線検出素子７として、上記のようにｐ層７７、ｉ層７６、ｎ層７５の順に積層されて形成されたいわゆるｐｉｎ型の放射線検出素子を用いる場合が説明されているが、これに限定されない。
【００５０】
放射線検出素子７の第２電極７８の上面には、第２電極７８を介して放射線検出素子７にバイアス電圧を印加するバイアス線９が接続されている。なお、放射線検出素子７の第２電極７８やバイアス線９、ＴＦＴ８側に延出された第１電極７４、ＴＦＴ８の第１パッシベーション層８３等、すなわち放射線検出素子７とＴＦＴ８の上面部分は、その上方側から窒化シリコン（ＳｉＮｘ）等からなる第２パッシベーション層７９で被覆されている。
【００５１】
図３や図４に示すように、本実施形態では、それぞれ列状に配置された複数の放射線検出素子７に１本のバイアス線９が接続されており、各バイアス線９はそれぞれ信号線６に平行に配設されている。また、各バイアス線９は、基板４の検出部Ｐの外側の位置で結線１０に結束されている。
【００５２】
本実施形態では、図３に示すように、各走査線５や各信号線６、バイアス線９の結線１０は、それぞれ基板４の端縁部付近に設けられた入出力端子（パッドともいう）１１に接続されている。各入出力端子１１には、図６に示すように、後述する走査駆動手段１５のゲートドライバ１５ｂを構成するゲートＩＣ１２ａ等のチップが組み込まれたＣＯＦ（Chip On Film）１２が異方性導電接着フィルム（Anisotropic Conductive Film）や異方性導電ペースト（Anisotropic Conductive Paste）等の異方性導電性接着材料１３を介して接続されている。
【００５３】
また、ＣＯＦ１２は、基板４の裏面４ｂ側に引き回され、裏面４ｂ側で前述したＰＣＢ基板３３に接続されるようになっている。このようにして、放射線画像撮影装置１の基板４部分が形成されている。なお、図６では、電子部品３２等の図示が省略されている。
【００５４】
ここで、放射線画像撮影装置１の回路構成について説明する。図７は本実施形態に係る放射線画像撮影装置１の等価回路を表すブロック図であり、図８は検出部Ｐを構成する１画素分についての等価回路を表すブロック図である。
【００５５】
前述したように、基板４の検出部Ｐの各放射線検出素子７は、その第２電極７８にそれぞれバイアス線９が接続されており、各バイアス線９は結線１０に結束されてバイアス電源１４に接続されている。バイアス電源１４は、結線１０および各バイアス線９を介して各放射線検出素子７の第２電極７８にそれぞれバイアス電圧を印加するようになっている。また、バイアス電源１４は、後述する制御手段２２に接続されており、制御手段２２は、バイアス電源１４から各放射線検出素子７に印加するバイアス電圧を制御するようになっている。
【００５６】
本実施形態では、バイアス線９の結線１０に、結線１０（バイアス線９）を流れる電流の電流量を検出する電流検出手段４３が設けられている。そして、前述したように、放射線画像撮影装置１に放射線が照射されると各放射線検出素子７のｉ層７６（図５参照）内で電子正孔対が発生し、それがバイアス線９や結線１０に流れ出して結線１０等に電流が流れるが、電流検出手段４３は、その結線１０を流れる電流の増減を検出して放射線の照射の開始や終了を検出できるようになっている。なお、本発明においては、電流検出手段４３は必ずしも設けられなくてもよい。
【００５７】
図７や図８に示すように、本実施形態では、放射線検出素子７のｐ層７７側（図５参照）に第２電極７８を介してバイアス線９が接続されていることからも分かるように、バイアス電源１４からは、放射線検出素子７の第２電極７８にバイアス線９を介してバイアス電圧として放射線検出素子７の第１電極７４側にかかる電圧以下の電圧（すなわちいわゆる逆バイアス電圧）が印加されるようになっている。
【００５８】
各放射線検出素子７の第１電極７４はＴＦＴ８のソース電極８ｓ（図７、図８中ではＳと表記されている。）に接続されており、各ＴＦＴ８のゲート電極８ｇ（図７、図８中ではＧと表記されている。）は、後述する走査駆動手段１５のゲートドライバ１５ｂから延びる走査線５の各ラインＬ１〜Ｌｘにそれぞれ接続されている。また、各ＴＦＴ８のドレイン電極８ｄ（図７、図８中ではＤと表記されている。）は各信号線６にそれぞれ接続されている。
【００５９】
走査駆動手段１５は、ゲートドライバ１５ｂにオン電圧とオフ電圧を供給する電源回路１５ａと、走査線５の各ラインＬ１〜Ｌｘに印加する電圧をオン電圧とオフ電圧の間で切り替えて各ＴＦＴ８のオン状態とオフ状態とを切り替えるゲートドライバ１５ｂとを備えている。本実施形態では、走査駆動手段１５のゲートドライバ１５ｂは、前述したゲートＩＣ１２ａが複数並設されて形成されており、１つのゲートＩＣ１２ａには、１２８本等の所定の本数の走査線５が接続できるようになっている。
【００６０】
本実施形態の放射線画像撮影装置１では、走査線５がラインＬ１〜Ｌｘまで所定のｘ本設けられるように構成される。そのため、図９に示すように、ゲートドライバ１５ｂの端部のゲートＩＣ１２ａ、すなわち図中の下端または上端に配置されるゲートＩＣ１２ａでは、走査線５が接続されない未接続の端子ｐが生じている。
【００６１】
図７や図８に示すように、各信号線６は、読み出しＩＣ１６内に形成された各読み出し回路１７にそれぞれ接続されている。なお、読み出しＩＣ１６には１本の信号線６に１個ずつ読み出し回路１７が設けられている。
【００６２】
読み出し回路１７は、増幅回路１８と相関二重サンプリング回路１９等で構成されている。読み出しＩＣ１６内には、さらに、アナログマルチプレクサ２１と、Ａ／Ｄ変換器２０とが設けられている。なお、図７や図８および後述する図１０中では、相関二重サンプリング回路１９はＣＤＳと表記されている。また、図８中では、アナログマルチプレクサ２１は省略されている。
【００６３】
本実施形態では、増幅回路１８はチャージアンプ回路で構成されており、オペアンプ１８ａと、オペアンプ１８ａにそれぞれ並列にコンデンサ１８ｂおよび電荷リセット用スイッチ１８ｃが接続されて構成されている。また、増幅回路１８には、増幅回路１８に電力を供給するための電源供給部１８ｄが接続されている。
【００６４】
また、増幅回路１８のオペアンプ１８ａの入力側の反転入力端子には信号線６が接続されており、増幅回路１８の入力側の非反転入力端子には基準電位Ｖ０が印加されるようになっている。なお、基準電位Ｖ０は適宜の値に設定され、本実施形態では、例えば０［Ｖ］が印加されるようになっている。
【００６５】
また、増幅回路１８の電荷リセット用スイッチ１８ｃは、後述する制御手段２２に接続されており、制御手段２２によりオン／オフが制御されるようになっている。各放射線検出素子７からの画像データｄの読み出し処理時に、電荷リセット用スイッチ１８ｃがオフの状態で放射線検出素子７のＴＦＴ８がオン状態とされると（すなわち、ＴＦＴ８のゲート電極８ｇに走査線５を介して信号読み出し用のオン電圧が印加されると）、当該放射線検出素子７から放出された電荷がコンデンサ１８ｂに流入して蓄積され、蓄積された電荷量に応じた電圧値がオペアンプ１８ａの出力側から出力されるようになっている。
【００６６】
増幅回路１８は、このようにして、各放射線検出素子７から出力された電荷量に応じて電圧値を出力して電荷電圧変換するようになっている。また、電荷リセット用スイッチ１８ｃがオン状態とされると、増幅回路１８の入力側と出力側とが短絡されてコンデンサ１８ｂに蓄積された電荷が放電されて増幅回路１８がリセットされるようになっている。なお、増幅回路１８を、放射線検出素子７から出力された電荷に応じて電流を出力するように構成することも可能である。
【００６７】
増幅回路１８の出力側には、相関二重サンプリング回路（ＣＤＳ）１９が接続されている。相関二重サンプリング回路１９は、本実施形態では、サンプルホールド機能を有しており、この相関二重サンプリング回路１９におけるサンプルホールド機能は、制御手段２２から送信されるパルス信号によりそのオン／オフが制御されるようになっている。
【００６８】
すなわち、制御手段２２は、放射線画像撮影後の各放射線検出素子７からの画像データｄの読み出し処理においては、まず、各読み出し回路１７の増幅回路１８の電荷リセット用スイッチ１８ｃを制御してオフ状態にする。その際、電荷リセット用スイッチ１８ｃをオフ状態にした瞬間に、いわゆるｋＴＣノイズが発生し、増幅回路１８のコンデンサ１８ｂにｋＴＣノイズに起因する電荷ｑが溜まる。
【００６９】
前述したように、増幅回路１８では、コンデンサ１８ｂに蓄積された電荷量に応じた電圧値が増幅回路１８のオペアンプ１８ａの出力端子から出力されるが、上記のようにｋＴＣノイズに起因する電荷ｑがコンデンサ１８ｂに溜まることにより、図１０に示すように、オペアンプ１８ａの出力端子から出力される電圧値が、電荷リセット用スイッチ１８ｃをオフ状態にした瞬間（図１０では「１８ｃoff」と表示）に、前述した基準電位Ｖ０から、ｋＴＣノイズに起因する電荷ｑの分だけ瞬間的に変化し、電圧値Ｖinに変わる。
【００７０】
制御手段２２は、この段階で（図１０では「ＣＤＳ保持」（左側）と表示）、相関二重サンプリング回路１９に１回目のパルス信号Ｓｐ１を送信して、その時点で増幅回路１８から出力されている電圧値Ｖinを保持させる。
【００７１】
続いて、走査駆動回路１５から１本の走査線５にオン電圧Ｖonを印加してその走査線５にゲート電極８ｇが接続されているＴＦＴ８をオン状態とすると（図１０では「ＴＦＴon」と表示）、これらのＴＦＴ８が接続されている各放射線検出素子７から蓄積された電荷が各信号線６を介して増幅回路１８のコンデンサ１８ｂに流れ込んで蓄積され、図１０に示すように、コンデンサ１８ｂに蓄積された電荷量に応じてオペアンプ１８ａの出力側から出力される電圧値が上昇していく。
【００７２】
そして、制御手段２２は、所定時間が経過した後、走査駆動回路１５から当該走査線５に印加しているオン電圧Ｖonをオフ電圧Ｖoffに切り替えてその走査線５にゲート電極８ｇが接続されているＴＦＴ８をオフ状態とし（図１０では「ＴＦＴoff」と表示）、この段階で各相関二重サンプリング回路１９に２回目のパルス信号Ｓｐ２を送信して、その時点で増幅回路１８から出力されている電圧値Ｖfiを保持させる（図１０では「ＣＤＳ保持」（右側）と表示）。
【００７３】
各相関二重サンプリング回路１９は、２回目のパルス信号Ｓｐ２で電圧値Ｖfiを保持すると、電圧値の差Ｖfi−Ｖinを算出し、算出した差Ｖfi−Ｖinを画像データｄとして下流側に出力するようになっている。
【００７４】
相関二重サンプリング回路１９から出力された各放射線検出素子７の画像データｄは、アナログマルチプレクサ２１（図７参照）に送信され、アナログマルチプレクサ２１から順次Ａ／Ｄ変換器２０に送信される。そして、Ａ／Ｄ変換器２０で順次デジタル値の画像データｄに変換されて記憶手段４０に出力されて順次保存されるようになっている。
【００７５】
制御手段２２は、図示しないＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。そして、制御手段２２は、放射線画像撮影装置１の各部材の動作等を制御するようになっている。また、図７等に示すように、制御手段２２には、ＤＲＡＭ（Dynamic ＲＡＭ）等で構成される記憶手段４０が接続されている。
【００７６】
また、本実施形態では、制御手段２２には、前述したアンテナ装置３９が接続されており、さらに、検出部Ｐや走査駆動手段１５、読み出し回路１７、記憶手段４０、バイアス電源１４等の各部材に電力を供給するためのバッテリ４１が接続されている。また、バッテリ４１には、クレードル等の図示しない充電装置からバッテリ４１に電力を供給してバッテリ４１を充電する際の接続端子４２が取り付けられている。
【００７７】
前述したように、制御手段２２は、バイアス電源１４を制御してバイアス電源１４から各放射線検出素子７に印加するバイアス電圧を設定したり、読み出し回路１７の増幅回路１８の電荷リセット用スイッチ１８ｃのオン／オフを制御したり、相関二重サンプリング回路１９にパルス信号を送信して、そのサンプルホールド機能のオン／オフを制御する等の各種の処理を実行するようになっている。
【００７８】
また、制御手段２２は、各放射線検出素子７のリセット処理時や放射線画像撮影後の各放射線検出素子７からの画像データｄの読み出し時に、走査駆動手段１５に対して、走査駆動手段１５から各走査線５を介して各ＴＦＴ８のゲート電極８ｇに印加する電圧をオン電圧とオフ電圧との間で切り替えさせるためのパルス信号を送信するようになっている。
【００７９】
一方、制御手段２２は、放射線画像撮影の前や後、或いは各放射線検出素子７からの画像データｄの読み出し処理時に、走査駆動回路１５のゲートドライバ１５ｂから走査線５の全てラインＬ１〜Ｌｘにオフ電圧を印加させた状態、すなわち全てのＴＦＴ８をオフ状態とした状態で、各読み出し回路１７に読み出し動作（すなわちこの場合はいわゆる空読みの状態となる。）を行わせて、読み出し回路１７ごとのオフセット値Ｏlineを取得するようになっている。上記のように、各読み出し回路１７はそれぞれ信号線６ごとに接続されているため、読み出し回路１７ごとのオフセット値Ｏlineを信号線６ごとのオフセット値Ｏlineと言い換えることも可能である。
【００８０】
例えば、放射線画像撮影の前や後、すなわち図１１に示すＡ、Ｂのいずれかのタイミングで、上記の各読み出し回路１７での読み出し動作（すなわち空読みの動作）を行うように構成することが可能である。この場合には、走査線５の全ラインＬ１〜Ｌｘにオフ電圧を印加した状態で、各読み出し回路１７で上記のような読み出し動作を行わせる。
【００８１】
すなわち、走査線５の全ラインＬ１〜Ｌｘにオフ電圧を印加した状態で、図１０に示した通常の画像データｄの読み出し動作と同様に、増幅回路１８の電荷リセット用スイッチ１８ｃをオフ状態とし、各相関二重サンプリング回路１９に１回目のパルス信号Ｓｐ１を送信してその時点で増幅回路１８から出力されている電圧値Ｖinを保持させる。なお、この場合、走査線５の全ラインＬ１〜Ｌｘにオフ電圧を印加した状態であるため、ＴＦＴ８のオン／オフは行われない。
【００８２】
そして、画像データｄの読み出し動作の場合と同じ所定時間後に各相関二重サンプリング回路１９に２回目のパルス信号Ｓｐ２を送信してその時点で増幅回路１８から出力されている電圧値Ｖfiを保持させる。そして、各相関二重サンプリング回路１９から電圧値の差Ｖfi−Ｖinを読み出し回路１７ごとのオフセット値Ｏlineとして出力させて、アナログマルチプレクサ２１から順次Ａ／Ｄ変換器２０に送信させ、順次デジタル値に変換させて記憶手段４０に順次保存させる。
【００８３】
この場合、このいわゆる空読みの動作を複数回行う場合には、各回ごとに得られたオフセット値Ｏlineを読み出し回路１７ごとに平均化する等して、読み出し回路１７ごとのオフセット値Ｏlineとする。なお、図１１や後述する図１２、図１３における各処理の時間や各処理間の時間間隔等は必ずしも現実を反映したものではない。
【００８４】
また、例えば、各放射線検出素子７からの画像データｄの読み出し処理時、すなわち図１１に示すＣ、Ｄのいずれかのタイミングで、上記の各読み出し回路１７での読み出し動作（すなわち空読みの動作）を行うように構成することも可能である。
【００８５】
図１１に示すＤのタイミングで各読み出し回路１７で空読みの動作を行うように構成する場合とは、各放射線検出素子７からの画像データｄの読み出し処理の際、オン電圧が印加される走査線５を、通常の場合と同様に、ラインＬ１、Ｌ２、…、Ｌｘ（図７、図９参照）の順に切り替えながら読み出し処理を行うように構成する場合である。
【００８６】
すなわち、図１２に示すように、例えば走査線５の全てのラインＬ１〜Ｌｘにオン電圧を印加して各放射線検出素子７の一括リセット処理を行い、放射線画像撮影装置１に対する放射線照射が行われた後、画像データｄの読み出し処理においては、走査駆動回路１５のゲートドライバ１５ｂを構成するゲートＩＣ１２ａ（図９参照）の各端子のうち、走査線５の各ラインＬ１〜Ｌｘが接続されている端子だけでなく走査線５が接続されていない未接続の端子ｐにもオン電圧を順次印加するように構成し、走査駆動回路１５のゲートドライバ１５ｂの各端子にオン電圧を印加する順番をＬ１、Ｌ２、…、Ｌｘ、ｐ、ｐ、…、ｐの順に切り替える。
【００８７】
この場合、走査線５の各ラインＬ１〜Ｌｘにオン電圧が印加される際には、各ラインＬ１〜Ｌｘに接続されているＴＦＴ８がオン状態となり、ＴＦＴ８に接続されている各放射線検出素子７から画像データｄが読み出されるが、未接続の端子ｐにオン電圧が印加される際には、オン状態とされるＴＦＴ８が存在しないから、画像データｄの読み出しは行われない。
【００８８】
しかし、未接続の端子ｐにオン電圧が印加される際にも、上記と同様に各読み出し回路１７で空読みの動作を行って単数または複数の読み出し回路１７ごとのオフセット値Ｏlineを取得し、複数のオフセット値Ｏlineを取得するように構成した場合には、例えばそれらを読み出し回路１７ごとに平均化する等して読み出し回路１７ごとのオフセット値Ｏlineとする。
【００８９】
このように構成すれば、放射線画像撮影の前や後に読み出し回路１７ごとのオフセット値Ｏlineを取得するための各読み出し回路１７での空読みの動作を改めて行う必要がなくなり、１回の読み出し動作の中で画像データｄとともに読み出し回路１７ごとのオフセット値Ｏlineを同時に取得することが可能となる。
【００９０】
また、通常の画像データｄの読み出し動作と同じ動作で画像データｄと読み出し回路１７ごとのオフセット値Ｏlineを読み出すことが可能となり、通常の画像データｄの読み出し処理に加えて、未接続の端子ｐの部分まで読み出し処理を行うように構成すれば足るため、処理手順の構築を非常に容易に行えるといったメリットがある。
【００９１】
本実施形態では、これとは逆に、制御手段２２は、図１１に示すＣのタイミングで各読み出し回路１７に空読みの動作を行わせるように構成されている。
【００９２】
この場合、各放射線検出素子７からの画像データｄの読み出し処理の際には、走査駆動回路１５のゲートドライバ１５ｂは、図１３のタイミングチャートに示すように、各端子にオン電圧を印加する順番を、上記の場合とは逆に、未接続の端子ｐの方から順にｐ、…、ｐ、ｐ、Ｌｘ、…、Ｌ２、Ｌ１の順番で切り替えるようになっている。
【００９３】
そして、制御手段２２は、まず、未接続の端子ｐにオン電圧が印加される際に、図１０に示したように各読み出し回路１７に空読みの動作を行わせて（なお、その際にはＴＦＴ８のオン／オフは行われない。）、単数または複数の読み出し回路１７ごとのオフセット値Ｏlineを取得し、記憶手段４０に順次保存させるようになっている。
【００９４】
そして、引き続き、走査線５の各ラインＬｘ〜Ｌ１にオン電圧を順次印加させ、ＴＦＴ８のオン／オフ動作を行わせて、各ラインＬｘ〜Ｌ１にＴＦＴ８を介して接続されている各放射線検出素子７から画像データｄを各読み出し回路１７により読み出させて記憶手段４０に順次保存させるようになっている。
【００９５】
このように構成すれば、放射線画像撮影の前や後に読み出し回路１７ごとのオフセット値Ｏlineを取得するための各読み出し回路１７での空読みの動作を改めて行う必要がなくなり、１回の読み出し動作の中で画像データｄとともに読み出し回路１７ごとのオフセット値Ｏlineを同時に取得することが可能となる。
【００９６】
また、例えば各放射線検出素子７からの画像データｄの読み出し処理を開始する直前に各読み出し回路１７を起動（すなわちいわゆるwake up）させるような場合には、各読み出し回路１７の読み出し特性が不安定になる場合があるが、未接続の端子ｐに順次オン電圧を印加して各読み出し回路１７でいわゆる空読みを繰り返すうちに、各読み出し回路１７の温度が上昇して安定する。
【００９７】
そのため、その後、走査線５の各ラインＬｘ、…、Ｌ２、Ｌ１の順に順次オン電圧を印加して読み出し動作を行う際には、各読み出し回路１７の温度等が安定している状態とすることができる。そのため、各読み出し回路１７の読み出し特性を安定化させることが可能となる。
【００９８】
また、このように未接続の端子ｐ側から読み出し動作を行う場合、各読み出し回路１７の読み出し特性の安定化のみを考えると、通常では、未接続の端子ｐにオン電圧が印加された際に各読み出し回路１７で空読みされたデータは記憶手段４０に保存されずに捨てられると考えられる。しかし、本実施形態では、このような通常では捨てられるデータを有効活用して読み出し回路１７ごとのオフセット値Ｏlineとして利用することが可能となるといった優れたメリットをも有している。
【００９９】
なお、ゲートドライバ回路１５ｂの未接続の端子ｐにオン電圧が印加されて空読みする際に、全ての未接続の端子ｐにオン電圧が印加され空読みするごとに読み出し回路１７ごとのオフセット値Ｏlineを取得して読み出し回路１７ごとに平均化するように構成してもよいが、上記のように、最初のうちは各読み出し回路１７の温度が上昇中で読み出し特性が安定していない場合もある。
【０１００】
そのため、最初のうちの空読みのデータは捨てて（すなわち空読みの動作は行うが記憶手段４０には保存せず）、走査線５のラインＬｘが接続された端子に近い位置にある１個或いは数個の未接続の端子ｐ（図９の例で言えば図中のより上側の未接続の端子ｐ）にオン電圧が印加された際の空読みのデータ（或いはそれらの読み出し回路１７ごとの平均値）を読み出し回路１７ごとのオフセット値Ｏlineとして取得するように構成することも可能である。
【０１０１】
制御手段２２は、複数のオフセット値Ｏlineを取得するように構成した場合には、それらを読み出し回路１７ごとに平均化して読み出し回路１７ごとのオフセット値Ｏlineとして算出して記憶手段４０に保存させるように構成してもよく、また、後述するオフセット値Ｏlineの送信の際に、記憶手段４０から読み出した複数のオフセット値Ｏlineを読み出し回路１７ごとに平均化しながら送信するように構成することも可能である。
【０１０２】
図１１に示すように、読み出し回路１７ごとのオフセット値Ｏlineが得られると、それらの読み出し回路１７ごとのオフセット値Ｏlineを画像データｄとともにアンテナ装置３９を介して後述するコンソール５８（図１５参照）等の外部装置に送信するように構成することが可能である。
【０１０３】
その際、画像データｄやオフセット値Ｏlineは、それらに対する圧縮処理等の各処理が適宜行われた後、送信される。そして、コンソール５８で、送信されてきた画像データｄを読み出し回路１７ごとのオフセット値Ｏlineに基づいて補正して生成させたプレビュー画像を表示部５８ａに表示するように構成することが可能である。
【０１０４】
しかし、前述したように、コンソール５８の表示部５８ａに表示されるプレビュー画像は、放射線技師等の操作者がそれを見て被写体が放射線画像上の適切な位置にコントラスト良く撮影されているか否か等を確認できればよい。そして、プレビュー画像をコンソール５８の表示部５８ａ上にできるだけ速やかに表示できるように構成することが求められる。
【０１０５】
そこで、本実施形態では、図１１に示したように読み出し回路１７ごとのオフセット値Ｏlineが得られた後、それらの読み出し回路１７ごとのオフセット値Ｏlineを画像データｄ（rawデータ）とともに送信する代わりに、図１４に示すように、制御手段２２は、得られた画像データｄに基づいて、画像データｄが所定の割合で間引かれた間引きデータｄｔを作成し、画像データｄの送信の前に、間引きデータｄｔと読み出し回路１７ごとのオフセット値Ｏlineを送信するようになっている。その際、間引きデータｄｔやオフセット値Ｏlineは、それらに対する圧縮処理等の各処理が適宜行われた後、送信される。
【０１０６】
間引きデータｄｔは、例えば、走査線５の各ラインＬ１、Ｌ４、Ｌ７、…にそれぞれ接続された各放射線検出素子７からの画像データｄのように、走査線５の所定の間隔ごとの各ラインＬｎに接続された各放射線検出素子７からの画像データｄを抽出して作成するように構成することも可能であり、或いは、例えば、二次元状に配列された各放射線検出素子７に対応して各画像データｄを配列した場合に３×３画素や４×４画素ごとに１画素分の画像データｄを抽出するようにして作成してもよい。
【０１０７】
画像データｄの送信の前に、間引きデータｄｔを作成して送信するように構成すれば、画像データｄよりも間引きデータｄｔの方がデータ量が少なく、コンソール５８への送信がより短時間で済む。そのため、画像データｄを送信してそれに基づいたプレビュー画像を表示する場合と比べて、間引きデータｄｔを送信してそれに基づいてプレビュー画像を表示する場合の方がより速やかにプレビュー画像をコンソール５８の表示部５８ａに表示させることが可能となる。
【０１０８】
本実施形態では、制御手段２２は、図１１や図１４に示すように、間引きデータｄｔや画像データｄを送信すると、続いて、放射線画像撮影装置１に対して放射線を照射しない状態で所定時間（すなわち前述したように各放射線検出素子７に対する一括リセット処理後、各放射線検出素子７からの画像データｄの読み出し処理を開始するまでの時間）放射線画像撮影装置１を放置した後、その間に各放射線検出素子７に蓄積された電荷（すなわち暗電荷）等を読み出し回路１７で読み出してダーク読取値ｄａとして取得するダーク読取処理を行うようになっている。
【０１０９】
なお、図１１や図１４ではダーク読取処理を１回だけ行う場合が示されているが、前述したように、ダーク読取処理を複数回行うように構成することも可能であり、制御手段２２は、予め設定された回数のダーク読取処理を行うようになっている。
【０１１０】
そして、制御手段２２は、コンソール５８上でプレビュー画像を確認した操作者の操作によりコンソール５８から送信要求があると、或いは、送信要求を待たずに自動的に、上記のようにして取得したダーク読取値ｄａ、或いは、例えば複数回分のダーク読取値ｄａの各放射線検出素子７ごとの平均値等として算出したオフセット補正値Ｏをコンソール５８に送信するようになっている（図１１参照）。
【０１１１】
また、本実施形態のように間引きデータｄｔをコンソール５８に送信した場合は、コンソール５８から送信要求があると、或いは、送信要求を待たずに自動的に、間引きデータｄｔ以外の残りの画像データｄとダーク読取値ｄａ或いはオフセット補正値Ｏとをコンソール５８に送信するようになっている（図１４参照）。
【０１１２】
なお、ダーク読取処理の際には、上記のように走査駆動回路１５のゲートドライバ１５ｂを構成するゲートＩＣ１２ａ（図９参照）の未接続の端子ｐにオン電圧を印加して読み出し回路１７ごとのオフセット値Ｏlineを取得する処理を行う必要はない。
【０１１３】
［放射線画像撮影システム］
図１５は、本実施形態に係る放射線画像撮影システムの全体構成を示す図である。放射線画像撮影システム５０は、図１５に示すように、例えば、放射線を照射して患者の一部である被写体（患者の撮影対象部位）の撮影を行う撮影室Ｒ１と、放射線技師等の操作者が被写体に照射する放射線開始の制御等の種々の操作を行う前室Ｒ２、およびそれらの外部に配置される。
【０１１４】
撮影室Ｒ１には、前述した放射線画像撮影装置１を装填可能なブッキー装置５１や、被写体に照射する放射線を発生させる図示しないＸ線管球を備える放射線発生装置の放射線源５２、放射線画像撮影装置１とコンソール５８とが無線通信する際にこれらの通信を中継する無線アンテナ５３を備えた基地局５４等が設けられている。
【０１１５】
なお、本実施形態では、基地局５４が、放射線画像撮影装置１とコンソール５８との間でデータを送受信するコンソール５８側の通信手段を兼ねている。また、図１５では、可搬型の放射線画像撮影装置１をブッキー装置５１のカセッテ保持部５１ａに装填して用いる場合が示されているが、前述したように、放射線画像撮影装置１はブッキー装置５１や支持台等と一体的に形成されたものであってもよい。また、図１５に示したように、放射線画像撮影装置１と基地局５４とをケーブルで接続し、ケーブルを介して有線通信でデータを送信することができるように構成することも可能である。
【０１１６】
本実施形態では、撮影室Ｒ１には、放射線画像撮影装置１が持ち込まれた際に挿入されると基地局５４を介して放射線画像撮影装置１の識別情報であるカセッテＩＤをコンソール５８に通知するクレードル５５が備えられている。コンソール５８は、クレードル５５から通知されてきたカセッテＩＤに基づいて、撮影室Ｒ１内にどの放射線画像撮影装置１が存在するかを管理するようになっている。
【０１１７】
なお、撮影室Ｒ１内に存在する放射線画像撮影装置１の管理は別の機構により行われてもよく、クレードル５５は必ずしも設けられなくてもよい。また、クレードル５５で単に放射線画像撮影装置１の充電等だけを行うように構成することも可能である。
【０１１８】
前室Ｒ２には、放射線発生装置５２に対して放射線の照射開始等を指示するためのスイッチ手段５６等を備えた放射線の照射を制御する放射線発生装置の操作卓５７等が設けられている。
【０１１９】
放射線画像撮影装置１の構成については前述した通りであるが、本実施形態では、放射線画像撮影装置１は、上記のようにブッキー装置５１に装填されて用いられる場合もあるが、ブッキー装置５１には装填されず、いわば単独の状態で用いることもできるようになっている。
【０１２０】
すなわち、放射線画像撮影装置１を単独の状態で例えば撮影室Ｒ１内に設けられたベッドや図１５に示すように臥位撮影用のブッキー装置５１Ｂ等に上面側に配置してその放射線入射面Ｒ（図１参照）上に被写体である患者の手等を載置したり、或いは、例えばベッドの上に横臥した患者の腰や足等とベッドとの間に差し込んだりして用いることもできるようになっている。この場合、例えばポータブルの放射線源５２Ｂ等から、被写体を介して放射線画像撮影装置１に放射線を照射して放射線画像撮影が行われる。
【０１２１】
本実施形態では、放射線画像撮影システム５０全体の制御を行うコンソール５８が、撮影室Ｒ１や前室Ｒ２の外側に設けられているが、例えば、コンソール５８を前室Ｒ２等に設けるように構成することも可能である。
【０１２２】
コンソール５８は、図示しないＣＰＵやＲＯＭ、ＲＡＭ、入出力インターフェース等がバスに接続されたコンピュータ等で構成されている。ＲＯＭには所定のプログラムが格納されており、コンソール５８は、必要なプログラムを読み出してＲＡＭの作業領域に展開してプログラムに従って各種処理を実行し、前述したように放射線画像撮影システム５０全体の制御を行うようになっている。
【０１２３】
コンソール５８には、前述した基地局５４や操作卓５７、ハードディスク等で構成された記憶手段５９等が接続されており、また、基地局５４を介してクレードル５５等が接続され、操作卓５６を介して放射線源５２等が接続されている。また、コンソール５８には、ＣＲＴ（Cathode Ray Tube）やＬＣＤ（Liquid Crystal  Display）等からなる表示部５８ａが設けられており、その他、キーボードやマウス等の図示しない入力手段が接続されている。
【０１２４】
コンソール５８は、基地局５４を介して、上記のように放射線画像撮影装置１から間引きデータｄｔや読み出し回路１７ごとのオフセット値Ｏline、画像データｄ、ダーク読取値ｄａ或いはオフセット補正値Ｏが送信されてくると、それらのデータをそれぞれ記憶手段５９に記憶させるようになっている。
【０１２５】
そして、コンソール５８は、前述したように、放射線画像撮影装置１から間引きデータｄｔと読み出し回路１７ごとのオフセット値Ｏlineが送信されてくると、それらのデータに基づいて、間引きデータｄｔを読み出し回路１７ごとのオフセット値Ｏlineで補正してプレビュー画像用のデータｄ０を生成するようになっている。なお、読み出し回路１７ごとのオフセット値Ｏlineとともに間引きデータｄｔ（図１４参照）の代わりに画像データｄ（図１１参照）を送信するように構成してもよいことは前述したとおりであり、以下の説明は、間引きデータｄｔを画像データｄと読み替えることにより、画像データｄの場合にもあてはまる。
【０１２６】
具体的には、コンソール５８の記憶手段５９には、予め当該放射線画像撮影装置１の各放射線検出素子７についてのゲイン補正値Ｇが記憶されており、コンソール５８は、放射線画像撮影装置１から間引きデータｄｔと読み出し回路１７ごとのオフセット値Ｏlineが送信されてくると、下記（１）式に従って各間引きデータｄｔを読み出し回路１７ごとのオフセット値Ｏlineで補正してプレビュー画像用のデータｄ０を生成するようになっている。
ｄ０＝Ｇ×log（ｄｔ−Ｏline）    …（１）
【０１２７】
なお、上記（１）式の演算においては、読み出し回路１７ごとのオフセット値Ｏlineとして、演算対象の間引きデータｄｔを出力した放射線検出素子７がＴＦＴ８を介して接続されている信号線６についてのオフセット値Ｏlineが用いられる。すなわち、同じ信号線６にＴＦＴ８を介して接続されている放射線検出素子７からの間引きデータｄｔについては、同じオフセット値Ｏlineが用いられる。
【０１２８】
そして、コンソール５８は、生成したプレビュー画像用のデータｄ０に基づいて、表示部５８ａにプレビュー画像を表示するようになっている。なお、コンソール５８では、前述したように、プレビュー画像を確認した操作者が再撮影不要と判断した際に入力手段を介してその旨を入力すると、放射線画像撮影装置１に対して送信要求を発信するように構成することが可能である。
【０１２９】
一方、コンソール５８は、放射線画像撮影装置１からアンテナ装置３９や基地局５４を介して画像データｄやダーク読取値ｄ（或いはオフセット補正値Ｏ）が送信されてくると、プレビュー画像を確認した操作者により再撮影不要の入力がなされている場合には、当該画像データｄ等を一旦記憶手段５９に保存した後、画像データｄに画像処理を施して診断用放射線画像を生成するようになっている。
【０１３０】
この場合、コンソール５８は、上記のプレビュー画像の場合のように、間引きデータｄｔ（或いは画像データｄ）に対して読み出し回路１７ごとに同じオフセット値Ｏlineを用いてプレビュー画像用のデータｄ０を生成する簡易な補正方法とは異なり、各放射線検出素子７ごとすなわち１画素ごとに取得されたダーク読取値ｄａ、或いはそれらに基づいて算出されたオフセット補正値Ｏ（以下、１回のダーク読取処理で得られたダーク読取値ｄをオフセット補正値Ｏとする場合を含む。）を用いて、画像データｄに対して本格的な画像処理を行うようになっている。
【０１３１】
すなわち、コンソール５８は、上記と同様に、放射線画像撮影装置１の各放射線検出素子７についてのゲイン補正値Ｇを記憶手段５９から読み出して、下記（２）式に従って画像データｄをオフセット補正値Ｏで補正して診断用放射線画像用のデータｄ＊を生成するようになっており、さらに、放射線技師等の操作者の指示に基づいて、生成した診断用放射線画像に対してコントラスト調整や欠陥画素等による異常なデータｄ＊の補正等の種々の補正を行って、最終的な診断用放射線画像を生成するようになっている。
ｄ＊＝Ｇ×log（ｄ−Ｏ）    …（２）
【０１３２】
次に、本実施形態に係る放射線画像撮影装置１および放射線画像撮影システム５０の作用について説明する。
【０１３３】
放射線画像の各画像データｄは、走査線５の各ラインＬ１〜Ｌｘ（図７、図８参照）にオフ電圧を印加して全てのＴＦＴ８をオフ状態にした状態で、放射線発生装置の放射線源５２（図１５参照）から放射線画像撮影装置１に放射線が照射された際に、各放射線検出素子７内で発生して蓄積される電荷すなわち電子正孔対の量で決まる。しかし、それらの画像データｄが各放射線検出素子７内で蓄積され、或いは、読み出し回路１７で読み出される際に、各画像データｄに種々のオフセット成分が重畳される。
【０１３４】
画像データｄに重畳されるオフセット成分としては、例えば、図１２や図１３に示したように、走査線の各ラインＬ１〜Ｌｘにオン電圧を印加し、各ＴＦＴ８を一旦オン状態として各放射線検出素子７に対する一括リセット処理を行った後、走査線の各ラインＬ１〜Ｌｘにオフ電圧を印加して全ＴＦＴ８をオフ状態とし、その後、走査線の各ラインＬ１〜Ｌｘに順次オン電圧を印加して各放射線検出素子７からの読み出し処理を行うまで間に、各放射線検出素子７内に蓄積される暗電荷によるオフセット分がある。
【０１３５】
この暗電荷は、各放射線検出素子７自体の熱による熱励起等により発生するものであり、暗電荷によるオフセット分は各放射線検出素子７ごとに異なる値になる。
【０１３６】
また、前述したように、各放射線検出素子７内に蓄積された照射された放射線に由来する電荷（すなわち本来検出すべき電荷）や、各放射線検出素子７自体の熱による熱励起等に由来する電荷（すなわち暗電荷）が、各読み出し回路１７により読み出されるが、その読み出し処理の際にも、読み出し回路１７ごとに各放射線検出素子７からの画像データｄの読み出し特性が異なることに起因するオフセット成分が画像データｄに重畳される。
【０１３７】
この場合のオフセット成分は、各読み出し回路１７ごとに画像データｄに重畳されるものであり、読み出し処理において、走査線の各ラインＬ１〜Ｌｘに順次オン電圧が印加され、各ＴＦＴ８がオン状態とされている間に各放射線検出素子７から読み出される画像データｄに重畳されるものである。
【０１３８】
従って、読み出し回路１７ごとに読み出し特性が異なることに起因するオフセット成分は、同じ信号線６にＴＦＴ８を介して接続されている放射線検出素子７から読み出される画像データｄについては同じオフセット分が重畳されるが、接続されている信号線６が異なると、放射線検出素子７から読み出される画像データｄに重畳されるオフセット分は異なる。
【０１３９】
そして、上記のように、放射線画像撮影の前や後に（すなわち図１１、図１４のＡ、Ｂのタイミングで）、走査線の全てのラインＬ１〜Ｌｘにオフ電圧を印加した状態で各読み出し回路１７で読み出し動作を行わせ、各読み出し回路１７にいわゆる空読みの動作を行わせて得られるオフセット成分は、上記の読み出し回路１７ごとに読み出し特性が異なることに起因するオフセット成分である。
【０１４０】
また、本実施形態のように、各放射線検出素子７からの画像データｄの読み出し処理時（すなわち図１１、図１４のＣ、Ｄのタイミングで）、走査線５が接続されていない未接続の端子ｐ（図９参照）にもオン電圧を順次印加して各読み出し回路１７で読み出し動作を行わせ、各読み出し回路１７にいわゆる空読みの動作を行わせて得られるオフセット成分も、同様に、上記の読み出し回路１７ごとに読み出し特性が異なることに起因するオフセット成分である。
【０１４１】
そして、これらのオフセット成分が、前述したように、プレビュー画像上に信号線方向に延びる縞状の模様が現れることの原因となるものである。
【０１４２】
また、この読み出し回路１７ごとに異なる読み出し特性は、前述したように、各読み出し回路１７が形成された読み出しＩＣ１６（図７、図８参照）の温度やその周囲の温度等の各読み出し回路１７を取り巻く環境によっても変動し得る。
【０１４３】
しかし、上記のように、放射線画像撮影の直前や直後、或いは各放射線検出素子７からの画像データｄの読み出し処理時に読み出し回路１７ごとに読み出し特性が異なることに起因するオフセット成分を取得することで、読み出しＩＣ１６の温度やそれを取り巻く環境が放射線画像撮影時と同じ状態でこのオフセット成分、すなわち読み出し回路１７ごとのオフセット値Ｏlineを取得することができる。
【０１４４】
従って、本実施形態のように、間引きデータｄｔ（或いは画像データｄ）から読み出し回路１７ごとのオフセット値Ｏlineを減算してプレビュー画像用のデータｄ０を生成すれば（上記（１）式参照）、間引きデータｄｔ（或いはその元となる画像データｄ）が取得された放射線画像撮影時と同じ状況におけるオフセット成分すなわち読み出し回路１７ごとのオフセット値Ｏlineが間引きデータｄｔ（或いは画像データｄ）から減算されるため、プレビュー画像上から信号線方向に延びる縞状の模様を的確に除去することが可能となる。
【０１４５】
一方、ダーク読取処理では、上記のように、放射線画像撮影装置１に対して放射線を照射しないことを以外は、通常の各放射線検出素子７からの画像データｄの読み出し処理と同じ処理を行って、各放射線検出素子７ごとにダーク読取値ｄａ（或いはオフセット補正値Ｏ）が取得される。
【０１４６】
その際、各放射線検出素子７からの読み出し処理を行うまで間に各放射線検出素子７内に蓄積された暗電荷によるオフセット分が生じるほか、ダーク読取値ｄａを読み出す処理の際に、上記の読み出し回路１７ごとに読み出し特性が異なることに起因するオフセット成分も生じる。そのため、取得されたダーク読取値ｄａには、暗電荷によるオフセット分と読み出し回路１７ごとに読み出し特性が異なることに起因するオフセット成分の両方が含まれる。
【０１４７】
従って、上記（２）式に示したように、画像データｄから、ダーク読取値ｄａから算出したオフセット補正値Ｏを減算する処理を行うことで、生成された診断用放射線画像上から信号線方向に延びる縞状の模様を的確に除去することが可能となる。
【０１４８】
また、ダーク読取値ｄａには、各放射線検出素子７ごとに生じる暗電荷によるオフセット分も含まれるため、上記（２）式に示したように、画像データｄから、ダーク読取値ｄａから算出したオフセット補正値Ｏを減算する処理を行うことで、各放射線検出素子７ごとすなわち１画素ごとに取得されたダーク読取値ｄａに基づいて算出されたオフセット補正値Ｏに基づいて、画像データｄに対して適切に画像処理を行って有効な診断用放射線画像を生成することが可能となる。
【０１４９】
以上のように、本実施形態に係る放射線画像撮影装置１および放射線画像撮影システム５０によれば、放射線画像撮影装置１から、放射線画像撮影により取得された画像データｄやそれに基づいて作成した間引きデータｄｔを送信する際に、放射線画像撮影の前後や各放射線検出素子７からの画像データｄの読み出し処理時に取得した読み出し回路１７ごとのオフセット値Ｏlineをあわせて送信する。また、コンソール５８は、放射線画像撮影装置１から送信されてきた画像データｄ或いは間引きデータｄｔを読み出し回路１７ごとのオフセット値Ｏlineで補正して生成したプレビュー画像を表示部５８ａに表示する。
【０１５０】
そのため、放射線画像撮影後、プレビュー画像をコンソール５８の表示部５８ａ上に速やかに表示することが可能となる。そして、放射線技師等の操作者は、そのプレビュー画像を見て被写体が放射線画像上に的確に撮影されているか否か等を確認して、再撮影の要否を即座に判定することが可能となる。
【０１５１】
また、放射線画像撮影の前後や各放射線検出素子７からの画像データｄの読み出し処理時に読み出し回路１７ごとのオフセット値Ｏlineが取得されるため、各読み出し回路１７ごとの読み出し特性が温度等の環境によって変動し得るとしても、読み出し回路１７ごとのオフセット値Ｏlineを、画像データｄや間引きデータｄｔが取得された環境と同じ状態で取得することが可能となる。
【０１５２】
そのため、そのようにして取得された読み出し回路１７ごとのオフセット値Ｏlineで画像データｄや間引きデータｄｔを補正することで、画像データｄや間引きデータｄｔから、各読み出し回路１７ごとに異なる読み出し特性に起因するオフセット分を的確に除去することが可能となり、プレビュー画像上に信号線方向に延びる縞状の模様が現れることを的確に防止することが可能となる。
【０１５３】
そして、プレビュー画像上から信号線方向に延びる縞状の模様が的確に除去されるため、放射線技師等がプレビュー画像を見て、患者の病変部がその周囲の組織に対してコントラストが良好の状態で撮影されているか否か等を的確に判定することが可能となり、誤って判定して再撮影等が必要となるような事態が発生することを的確に防止することが可能となる。
【０１５４】
なお、上記の実施形態のように、放射線画像撮影装置１が、各放射線検出素子７からの画像データｄの読み出し処理時に読み出し回路１７ごとのオフセット値Ｏlineを取得するように構成されている場合、放射線画像撮影を連続して行う場合には、各読み出し処理時ごとに読み出し回路１７ごとのオフセット値Ｏlineを取得して例えばその読み出し回路１７ごとの平均値を読み出し回路１７ごとのオフセット値Ｏlineとするように構成することも可能であり、或いは、繰り返し行われる読み出し処理のうちのいずれか１回或いは所定の回数の読み出し処理で読み出し回路１７ごとのオフセット値Ｏlineを取得するように構成することも可能である。
【０１５５】
また、上記の実施形態では、放射線画像撮影装置１で、放射線画像撮影前に各放射線検出素子７に対して一括リセット処理を行う場合を説明したが、走査線５の各ラインＬ１〜Ｌｘに順次オン電圧を印加して、走査線５の各ラインＬ１〜ＬｘにＴＦＴ８を介して接続された各放射線検出素子７ごとにリセット処理を行うように構成することも可能である。また、各放射線検出素子７からの画像データｄの読み出し処理後や、ダーク読取処理の前後等に、各放射線検出素子７に対するリセット処理が適宜行われる。
【０１５６】
また、本発明は、上記の各実施形態に限定されず、発明の本質を逸脱しない限り、種々の変形が可能であることは言うまでもない。
【符号の説明】
【０１５７】
１  放射線画像撮影装置
５、Ｌ１〜Ｌｘ  走査線
６  信号線
７  放射線検出素子
１５  走査駆動回路
１７  読み出し回路
２２  制御手段
３９  アンテナ装置（通信手段）
５０  放射線画像撮影システム
５４  基地局（コンソール側の通信手段）
５８  コンソール（外部装置）
５８ａ  表示部
ｄ  画像データ
ｄａ  ダーク読取値
ｄｔ  間引きデータ
Ｏ  オフセット補正値
Ｏline  読み出し回路ごとのオフセット値
Ｐ  検出部
ｐ  未接続の端子（走査線に接続されていない端子）
ｒ  領域
【図１】
2011133302.tif 000003
【図２】
2011133302.tif 000004
【図３】
2011133302.tif 000005
【図４】
2011133302.tif 000006
【図５】
2011133302.tif 000007
【図６】
2011133302.tif 000008
【図７】
2011133302.tif 000009
【図８】
2011133302.tif 000010
【図９】
2011133302.tif 000011
【図１０】
2011133302.tif 000012
【図１１】
2011133302.tif 000013
【図１２】
2011133302.tif 000014
【図１３】
2011133302.tif 000015
【図１４】
2011133302.tif 000016
【図１５】
2011133302.tif 000017
【図１６】
2011133302.tif 000018